(57)【特許請求の範囲】
【請求項１】
冷却器(15)からの冷気を送風機(16)にて加速してダクト(23)を通して貯蔵室(8)に供給するとともに、前記ダクト(23)の開口部(23A)をバッフル板(25)で開閉するダンパー装置(24)を設け、前記冷却器(15)で冷やされた冷気は前記ダクト(23)から前記ダンパー装置(24)を介して冷気通路(20)に供給され、この冷気通路(20)の第１通路(20A)を上昇してから第２通路(20B)を降下して吹出口(21)より前記貯蔵室(8)内に供給される冷蔵庫において、
前記ダンパー装置(24)は下部に設けた前記バッフル板(25)と、このバッフル板(25)の支持部(32)と連結される作動板(27)と、この作動板(27)を駆動する上部に設けた駆動部(26)とを備え、
前記ダクト(23)の開口部(23A)を上下に傾斜させるとともに、
前記バッフル板(25)は前記開口部(23A)と同一の傾斜を設けて形成し、かつ、
前記駆動部(26)の横に前記貯蔵室(8)に冷気を供給するバイパス通路(20C)を設けて、前記駆動部(26)が前記開口(23A)を通過して上昇する冷気の邪魔にならないようにしていることを特徴とする冷蔵庫。
【発明の詳細な説明】
【０００１】
【発明の属する技術分野】
本発明は、冷気の吐出口をダンパー装置にて開閉する冷蔵庫に関する。
【０００２】
【従来の技術】
従来、この種冷蔵庫において冷気供給の制御のために用いられるダンパー装置は、除霜時に高湿かつ高温の庫内空気に晒され、バッフル板、作動板やこの作動板とバッフル板との支持部に水滴が付着し、その後の冷却運転で水滴が氷結して前記バッフル板で開口部を閉じられなくなって冷気供給の制御が不可能となる問題があった。
【０００３】
そこで、従来では例えば実公平４−４７５８４号公報に示される如く、ダンパー装置の近傍にヒ−タを設けることにより、ダンパー装置全体を加熱して、上述の如き氷結の発生を未然に防止していた。
【０００４】
【発明が解決しようとする課題】
しかしながら、この種ダンパー装置は冷気のダクトの開口部に当接してこの開口部を開閉するバッフル板を駆動することにより、冷蔵室等への冷気供給を制御するものであるが、このバッフル板が吹出口を閉塞している間、バッフル板の前後（庫内側と冷気通路側）における温度差は比較的大きなものとなる。従って、庫内に侵入した湿気が冷気通路側の温度により冷やされ、バッフル板、作動板やこの作動板とバッフル板との支持部とが氷結し易く、係る氷結が発生するとバッフル板の支持部が可動できなくなって開口部に正しくバッフル板が閉じられなくなる等の問題があった。
【０００５】
本発明は、係る従来の技術的課題を解決するために成されたものであり、ダンパー装置のバッフル板の支持部が氷結してもこのバッフル板で開口部が閉じられるようにした冷蔵庫を提供することを目的とする。
【０００６】
【０００７】
【０００８】
【課題を解決するための手段】
本発明は、冷却器からの冷気を送風機にて加速してダクトを通して貯蔵室に供給するとともに、前記ダクトの開口部をバッフル板で開閉するダンパー装置を設け、前記冷却器で冷やされた冷気は前記ダクトから前記ダンパー装置を介して冷気通路に供給され、この冷気通路の第１通路を上昇してから第２通路を降下して吹出口より前記貯蔵室内に供給されるた冷蔵庫において、
前記ダンパー装置を下部に設けたバッフル板と、このバッフル板の支持部と連結される作動板と、この作動板を駆動する上部に設けた駆動部とで構成し、
前記ダクトの開口部を上下に傾斜させるとともに、
バッフル板を、前記開口部と同一の傾斜を設けて形成し、かつ、
前記駆動部の横に貯蔵室に冷気を供給するバイパス通路を設けて、前記駆動部が前記開口を通過して上昇する冷気の邪魔にならないようにしている。
【０００９】
【発明の実施の形態】
以下本発明を図に基づき説明する。図１は本発明の一実施例を示す冷蔵庫の断面図、図２は本発明のダンパー装置の閉状態を示す断面図、図３は本発明のダンパー装置の開状態を示す断面図、図４は本発明のダクトを示す正面図、図５は断面図である。
【００１０】
１は冷蔵庫で、この冷蔵庫は前方に開口する鋼板製の外箱２と、この外箱内に間隔を存して組み込まれる前方に開口する硬質合成樹脂製の内箱３と、両箱２，３間に現場発泡方式にて充填される発泡ポリウレタン断熱材４とから本体５が構成されている。内箱３は仕切壁６、７にて上下に区画され、上側に冷蔵室８が、中側に冷凍室９が、下側に野菜室１０が形成されている。そして、冷蔵室８の前面開口は回動する扉１１で、冷凍室９の前面開口は引き出し用の扉１２で、野菜室１０の前面開口は引き出し用の扉１３にて開閉自在に閉塞されている。
【００１１】
冷凍室９の背面には、区画壁１４によって区画されて冷却器１５と、この冷却器の上方に配置された送風機１６と、冷却器１５の下方に配置された除霜ヒータ１７とを収納する冷却器室１８が設けられている。区画壁１４には送風機１６の前方に冷凍室９内に冷却器１５で冷却された冷気を吹き出す吹出口１９が設けられている。
【００１２】
冷蔵室８の背面には、冷却器１５で冷却された冷気を冷蔵室８内に供給する冷気通路２０を有する区画壁２１が設けられている。この区画壁２１の冷気通路２０は中央に冷気の上昇する第１通路２０Ａと、この第１通路の最上部で左右に分かれて冷気の降下する第２通路２０Ｂとで形成されている。そして、冷気の降下する第２通路２０Ｂに連通する冷蔵室８内に吹き出す吹出口２２が上下にそれぞれ複数設けられている。
【００１３】
２３は冷却器室１８の上部と冷気通路２０とを連通するダクトで、このダクトの冷気通路２０側の開口２３Ａにはダンパー装置２４が配置されている。ダクト２３の開口２３Ａは上下に傾斜している。このダンパー装置は開口２３Ａを開閉するバッフル板２５と、制御部２６と、この制御部とバッフル板２５とを連結する作動板２７とで構成されている。ダンパー装置２４は制御部２６をバッフル板２５より上方に配置すると共に、この制御部の両側に冷気通路２０のバイパス路２０Ｃを形成し、制御部２６が開口２３Ａを通過して上昇する冷気の邪魔にならないようにしている。
【００１４】
制御部２６は内部にガスが封入され庫内温度を検出する感温筒２８を有するベローズ２９とバイアスバネ３０と温度調節摘み３１とで構成されている。そして、ベローズ２９とバイアスバネ３０とは作動板２７の一方に作用方向が反対になるように取り付けられている。また、作動板２７の他方とバッフル板２５とは支持部３２で連結されると共に、バッフル板２５の制御部２６側を作動板２７に接触させている。バッフル板２５と作動板２７とは支持部３２と作動板２７の接触によって一定の傾斜で固定されるようにされている。
【００１５】
このように構成された冷蔵庫において、運転時に冷却器１５が冷やされると、この冷却器で冷やされた冷気は、送風機１６で吹出口１９から冷凍室９内に供給されると共に、ダクト２３からダンパー装置２４を介して冷気通路２０に供給され、この冷気通路の第１通路２０Ａを上昇してから第２通路２０Ｂを降下して吹出口２１より冷蔵室８内に供給される。
【００１６】
ダンパー装置２４のバッフル板２５は作動板２７に支持部３２で取り付けられると共に、制御部２６側の端部を接触させて固定することにより、ダクト２３の開口２３Ａと同じ傾きで作動板２７によって開閉動作するようにされ、開口２３Ａにバッフル板２５が部分的に接触しないで全体が略同時に接触して塞ぐようにされている。そのため、バッフル板２５は支持部３２が除霜時に付着した露で除霜後の冷却運転によって凍結しても開口２３Ａと同じ傾きになっていることで、閉じ不良を防止される。
【００１７】
また、バッフル板２５は支持部３２と作動板２７とで固定されることにより、支持部３２だけで固定する場合に比べて取付を容易にできる。すなわち、支持部３２だけの場合には取付角度の調整が必要であったが、支持部３２と作動板２７とで固定する場合には作動板２７に接触させるだけで取付角度が決定でき、角度の調整を不要にできる。
【００１８】
ダンパー装置２４はバッフル板２６を下側、温度調節摘み３１を有する制御部２６を上側に配置することにより、温度調節摘み３１の冷蔵室８内への取り出し位置の設定を容易にさせられ、冷蔵室８内の下部に氷温ケース等を配置しても邪魔にならないようにしている。
【００１９】
尚、上記のダンパー装置の説明においては、バッフル板２５を下側に配置して説明したが、図６のようにバッフル板２５を上側にしてダクト２３の開口２３Ａを上が背面側に傾斜するようにしても同様の効果を有することは言うまでもない。
【００２０】
本発明は開口２３Ａを傾斜させると共に、この開口と同じ傾きにバッフル板２５を傾斜させて固定するので、バッフル板２５に霜が付着しても開口を確実に塞ぐことができるようにしている。
【００２１】
尚、上記説明においては、制御部２６をバッフル板２５の上方に配置したが、図６のように制御部２６をバッフル板２５の下方に配置しても同様な効果を有することは言うまでもない。
【００２２】
【００２３】
【００２４】
【発明の効果】  
本発明によれば、冷却器からの冷気を送風機にて加速してダクトを通して貯蔵室に供給するとともに、前記ダクトの開口部をバッフル板で開閉するダンパー装置を設けた冷蔵庫において、前記ダンパー装置を下部に設けたバッフル板と、このバッフル板の支持部と連結される作動板と、この作動板を駆動する上部に設けた駆動部とで構成し、前記ダクトの開口部を上下に傾斜させるとともに、バッフル板を前記開口部と同一の傾斜を設けて形成し、かつ、前記駆動部の横に貯蔵室に冷気を供給する通路を設け、前記バッフル板と作動板との支持部に氷結が生じてもバッフル板を開口部の全面に略同時に接触して閉じられるとともに、前記駆動部が冷気の邪魔にならないようにできる。
【図面の簡単な説明】
【図１】  本発明の一実施例を示す冷蔵庫の断面図である。
【図２】  本発明のダンパー装置の閉状態を示す断面図である。
【図３】  本発明のダンパー装置の開状態を示す断面図である。
【図４】  本発明のダクトを示す正面図である。
【図５】  断面図である。
【図６】  本発明の他の実施例を示すダンパー装置の断面図である。
【符号の説明】
８  冷却器
１５  冷却器
１６  送風機
２３  ダクト
２３Ａ  開口
２４  ダンパー装置
２５  バッフル板
２６  制御部
２７  作動板
３２  支持部
【図１】
0003717659.tif 000002
【図２】
0003717659.tif 000003
【図３】
0003717659.tif 000004
【図４】
0003717659.tif 000005
【図５】
0003717659.tif 000006
【図６】
0003717659.tif 000007